(57)【特許請求の範囲】
【請求項１】
加入者ユニットであって、
それぞれのアドレス・ポートがそれぞれのアドレスを有し且つ当該アドレス・ポートに割り当てられた情報サービスを受け取るよう動作可能である、複数のアドレス・ポートと、
情報サービスのディレクトリを含むメッセージを受信するよう動作可能な受信機と、
前記受信機に結合され、情報サービスの前記ディレクトリから情報サービスのメニューを発生するよう動作可能なコントローラと、
前記コントローラに結合され、情報サービスの前記メニューを表示するよう動作可能なディスプレイと、
前記コントローラに結合され、ユーザが情報サービスの前記メニューから情報サービスを選択することを可能にするよう動作可能なユーザ・インターフェースと、を備え、
前記コントローラが更に、前記複数のアドレス・ポートのうちの１つのアドレス・ポートを前記の選択された情報サービスに割り当てるよう動作可能であり、
前記加入者ユニットが更に、
前記コントローラに結合され、前記の選択された情報サービスに対するアドレス・ポートの前記の割り当てを格納するよう動作可能なメモリと、
前記の選択された情報サービスの要求であって前記の割り当てられたアドレス・ポートのアドレスを含む前記要求を送信するよう動作可能な送信機と、を備える加入者ユニット。
【請求項２】
前記メッセージが更に、前記加入者ユニットを含む加入者ユニットのグループのためのグループ・アドレスを含み、
前記受信機が更に、情報サービスの前記ディレクトリを、前記グループ・アドレスに対応するアドレス・ポートで受信するよう動作可能である
請求項１記載の加入者ユニット。
【請求項３】
前記コントローラが更に、前記の選択された情報サービスが既に前記複数のアドレス・ポートの別のアドレス・ポートに割り当てられているとき前記の選択された情報サービスの前記要求を中止するよう動作可能である請求項１載の加入者ユニット。
【請求項４】
前記情報サービスが、受け取り有料サービスを含み、
情報サービスの前記ディレクトリが、受け取り有料サービスのための申し込み情報を含み、
前記メモリが更に、情報サービスの前記ディレクトリを格納するよう動作可能であり、
前記コントローラが更に、前記メモリの中の申し込み情報にアクセスして、前記の選択された情報サービスが受け取り有料サービスである場合を決定するよう動作可能である
請求項１記載の加入者ユニット。
【請求項５】
無線通信システムであって、
少なくとも１つの基地局を備え、
前記少なくとも１つの基地局が、
情報サービスの要求を受信するよう動作可能な基地局受信機と、
前記基地局受信機に結合され、情報サービスを処理して、情報サービスのディレクトリを生成するよう動作可能な基地局プロセッサと、
前記基地局プロセッサに結合され、情報サービスの前記ディレクトリを送信するよう動作可能な基地局送信機と、を含み、
前記無線通信システムが更に、少なくとも１つの加入者ユニットを備え、
前記少なくとも１つの加入者ユニットが、
それぞれのアドレス・ポートがそれぞれのアドレスを有し且つ当該アドレス・ポートに割り当てられた情報サービスを受け取るよう動作可能である、複数のアドレス・ポートと、
情報サービスのディレクトリを受信するよう動作可能な受信機と、
前記受信機に結合され、情報サービスの前記ディレクトリから情報サービスのメニューを発生するよう動作可能なコントローラと、
前記コントローラに結合され、情報サービスの前記メニューを表示するよう動作可能なディスプレイと、
前記コントローラに結合され、ユーザが情報サービスの前記メニューから情報サービスを選択することを可能にするよう動作可能なユーザ・インターフェースと、を備え、
前記コントローラが更に、前記複数のアドレス・ポートのうちの１つのアドレス・ポートを前記の選択された情報サービスに割り当てるよう動作可能であり、
前記加入者ユニットが更に、
前記コントローラに結合され、前記の選択された情報サービスに対するアドレス・ポートの前記の割り当てを格納するよう動作可能なメモリと、
前記の選択された情報サービスの要求であって前記の割り当てられたアドレス・ポートのアドレスを含む前記要求を送信するよう動作可能な送信機とを備える、無線通信システム。
【請求項６】
前記基地局プロセッサが、
情報サービスのうちのいずれかが受け取り有料サービスであるかどうかを決定し、
前記情報サービスのうちの少なくとも１つの情報サービスが受け取り有料サービスであるとき、受け取り有料サービスの申し込み情報を情報サービスの前記ディレクトリの中に含む
請求項５記載の無線通信システム。
【請求項７】
加入者ユニットが利用可能な情報サービスを動的に選択する方法であって、
情報サービスのディレクトリを受信するステップと、
情報サービスの前記ディレクトリからメニューを発生するステップと、
前記メニューをユーザに表示するステップと、
前記メニューからの情報サービスの選択を受信するステップと、
複数のアドレス・ポートのうちの１つのアドレス・ポートを前記の選択された情報サービスに割り当てるステップと、
前記の選択された情報サービスの要求であって前記の割り当てられたアドレス・ポートのアドレスを含む前記要求を送信するステップと、
前記の選択された情報サービスを前記の割り当てられたアドレス・ポートで受信するステップと
を備える方法。
【請求項８】
アドレス・ポートを前記の選択された情報サービスに割り当てる前に、前記の選択された情報サービスが既に前記複数のアドレス・ポートのうちの第２のアドレス・ポートに割り当てられているかどうかを決定するステップと、
前記の選択された情報サービスが既に前記第２のアドレス・ポートに割り当てられている場合には、前記の選択された情報サービスに対するアドレス・ポートの割り当てを中止するステップと
を更に備える請求項７記載の方法。
【請求項９】
前記の選択された情報サービスを受信することを可能にするアクセス・コードを受信するステップを更に備える請求項７記載の方法。
【請求項１０】
通信システムにおける複数の加入者ユニットに対して与えられる情報サービスを動的に選択する方法であって、
少なくとも１つの基地局が、前記複数の加入者ユニットによる受信に利用可能な情報サービスを識別する情報サービスのディレクトリを前記複数の加入者ユニットに送信するステップと、
前記複数の加入者ユニットのうちの１つの加入者ユニットが、情報サービスの前記ディレクトリを受信するステップと、
前記１つの加入者ユニットが、情報サービスのメニューを情報サービスの前記ディレクトリから発生するステップと、
前記１つの加入者ユニットが、情報サービスの前記メニューを表示するステップと、
前記１つの加入者ユニットが、情報サービスの前記メニューから情報サービスの選択を受信するステップと、
前記１つの加入者ユニットが複数のアドレス・ポートのうちの１つのアドレス・ポートを前記の選択された情報サービスに割り当てるステップであって、前記の割り当てられたアドレス・ポートが、アドレスを有し且つ前記の選択された情報サービスを受信するよう動作可能である、前記割り当てるステップと、
前記１つの加入者ユニットが、前記の選択された情報サービスの要求であって前記の割り当てられたアドレス・ポートのアドレスを含む前記要求を送信するステップと、
前記少なくとも１つの基地局が、前記の選択された情報サービスの要求を受信するステップと、
前記少なくとも１つの基地局が、前記１つの加入者ユニットが前記の選択された情報サービスを受信することを許可されているかどうかを決定するステップと、
前記少なくとも１つの基地局が、前記１つの加入者ユニットが前記の選択された情報サービスを受信することを許可されているとき前記の選択された情報サービスを前記の割り当てられたアドレス・ポートのアドレスに送信するステップと、
前記１つの加入者ユニットが、前記の選択された情報サービスを前記の割り当てられたアドレス・ポートで受信するステップと
を備える方法。
【発明の詳細な説明】
産業上の利用可能性
本発明は一般に選択呼出トランシーバに関し、特に、選択呼出トランシーバのメニューから情報サービスを選択する方法に関する。
背景技術
従来の選択呼出受信機、例えばページャは、１以上のソースから情報を受けることが可能であることが多い。ソースは各メッセージまたは情報サービスに付随するアドレス情報によって互いに識別されるのが一般的である。そのアドレス情報が選択呼出受信機における所定のアドレス情報と相関する又は一致するとき、選択呼出受信機は特定の情報ソースからメッセージの受信および格納を行う。可聴モードでは、各所定のアドレス情報、すなわち各ソースは、あるリズムまたはパターンを有する報知音を具備するよう構成することが可能であり、これにより他の所定のアドレス情報すなわちソースを識別することが可能である。たとえばユーザは、報知音のリズムにより異なるソースから受信したメッセージを区別することが可能である。選択的に、表示装置の可視的なインジケータにより、特定のソースを確認する視覚的な報知を行うことも可能である。ユーザに対するこのようなメッセージの受信および提供ならびにソースの識別方法は当該業界で良く知られている。
選択呼出受信機における所定のアドレス情報は、サービス・センタまたは製造元で予め構築されているのが通常である。したがって所定のアドレス情報は固定され、ユーザは変更することができないのが通常である。ユーザは選択呼出受信機全体について例えば可聴報知又は無音報知等の所望の報知の種類を選択できるに過ぎない。
近ごろの選択呼出サービスでは多様な形式の情報を送ることができ、たとえば、株価情報，天候，スポーツ，ニュースその他の周期的な情報を選択呼出受信機の加入者に送ることができる。やがては大量の情報サービスが選択呼出受信機に送出されるであろう。ユーザはアドレスポート数および記憶容量に依存してメッセージ数を限定して受信しなければならないが、このような急速な技術進展とともに、多種多様なサービスは選択呼出受信機の利用可能な情報量を容易に上回るであろう。
したがって、利用可能な情報の種類および数を識別でき、その変更が可能であり、利用可能な情報サービスから情報を選択することのできる選択呼出トランシーバ／受信機が必要とされる。
【図面の簡単な説明】
図１は本願実施例による複数の情報サービスを受信する選択呼出システムのブロック図である。
図２は本願実施例による選択呼出トランシーバのブロック図である。
図３は図１の選択呼出システムにおけるフローであり、本願実施例によるディレクトリ情報サービスを送出するステップを示す。
図４は図２の選択呼出トランシーバにおけるフローであり、本願実施例による情報サービスを選択するメニューの作成および表示を行うステップを示す。
発明を実施するための最良の形態
図１に示す通信システムのブロック図は本願発明の好適実施例である。好適には通信システムは、当業者に良く知られた手法で情報を送信および受信することのできる無線周波数（ＲＦ）送信機／受信機１０６から成る基地局（または選択呼出ターミナル）１００を含む。送信機／受信機１０６は、基地局プロセッサ１０４に結合され、基地局プロセッサ１０４は、情報サービスおよび送信機／受信機１０６により受信される他のメッセージをデコードするデコーダ１１８と、複数の情報サービス・プロバイダ（情報サービス又は情報サービス・ファイル）１２０−１３２に関連する情報等を格納するメモリ１１６を有する。プロセッサ１０４は、結合される選択呼出トランシーバ（または受信機）２００により受信することのできる情報サービスを識別するディレクトリ(directory)を生成する。ディレクトリは、たとえば情報サービスの種類およびタイトルを含む。ディレクトリはまた、どの情報サービス（加入情報、即ち、申し込み情報）が加入料金、即ち申し込み料金（ｓｕｂｓｃｒｉｐｔｉｏｎ  ｆｅｅ）を要するかをも示すことができる。複数の情報サービス・プロバイダ１２０−１３２は、好適にはプロセッサ１０４に結合される電話インターフェース１０２に結合される。
基地局プロセッサ１０４が複数の情報サービス１２０−１３２から情報を受信すると、その情報は情報サービス１２０−１３２のディレクトリとしてメモリ１１６に格納する。図示されるように複数の情報サービス１２０−１３２は、電話インターフェース１０２を介してプロセッサ１０４に結合され、周期的に情報を受信してメモリ１１６を更新する。情報サービスのディレクトリは少なくとも１つの選択呼出受信機又はトランシーバ２００に、たとえばグループ又はメール・ドロップ・アドレスのような所定のアドレス・ポートに送信される。図示されるように選択呼出トランシーバ２００は、情報サービスのディレクトリを受信し、ユーザの選択に応じて選択された情報サービスに関連する情報を要求し、加入している選択情報サービス又は以下に説明するディレクトリから情報サービスの１つを選択することにより選択されたものである。たとえばトランシーバ２００から情報サービスの要求を受信した基地局１００は、（選択呼出トランシーバ２００の）ユーザの要求に対して情報サービスの受信が許されているか否かを判定する。もしアクセスが否定されると、ユーザにはアクセスが許可される前になすべきこと、例えばアクセス料金又は加入料金の必要性が通知される。複数の情報サービス・ファイルから選択された情報サービスにユーザがアクセスすると、要求により定められたアドレスポートにおいて、情報サービスはアンテナ１０８を介してユーザに伝送される。
図２は本願実施例による選択呼出トランシーバのブロック図を示す。選択呼出トランシーバ（又は受信機）２００は、バッテリ２３４により電力が供給され、アンテナ２０２を介して無線周波数信号を受信および送信するよう動作する。受信機２０４はアンテナ２０２に結合され、無線周波数信号を受信する。復調器２０６は受信機２０４に結合され、既存の手法を用いて無線周波数信号内の情報信号を復元することができる。復調器２０６により復元された情報信号はコントローラ２１０に結合され、当業者に良く知られた手法で復元された情報をデコードする。
本実施例では、コントローラ２１０は、MC68HC05C4のようなMotolora,Inc.の製造するマイクロコンピュータから構成され、通常ハードウェアおよびソフトウェアの両者で実行することが可能なデコーダ機能を行う信号処理装置を有する。信号処理装置は、当該業界で良く知られた方法および手法を利用するアドレス相関器２１４およびメッセージ・デコーダ２１２から成る。アドレス相関器２１４は、アドレス情報に対して復調器２０６の出力から復元された情報信号をチェックし、復元されたアドレス情報と、選択呼出トランシーバの不揮発性メモリ２２０に格納された複数の所定のアドレス情報の１つとの相関をとる。復元されたアドレス情報が１つのメール・ドロップまたはグループ・アドレスを指定する所定のアドレス情報と相関する場合、受信される情報は情報サービスのディレクトリを構成する。メッセージ・デコーダ２１２はその後メッセージをデコードし、情報サービスのインタラクティブ・メニュー(interactive menu)２４０を生成する。メニュー２４０はメッセージおよびメニュー・メモリ２２６内に格納され、入力制御２３０を利用してディスプレイ２２８に表示することができ、任意の１つから複数の割当可能な又は選択可能なアドレス・ポート２４６までのユーザ・インターフェースをアクティブにする。
メニュー２４０がアクティブにされ又は選択されると、メニュー２４０がその割当可能な又は選択可能なアドレス・ポートに対して表示される。割当可能なアドレス・ポートが情報サービスを受信するために以前に選択され又は割り当てられている場合は、表示されたメニュー２４０は例えばハイライトされた文字で割当可能な又は選択可能なアドレス・ポートに対して選択された情報サービス２４２を表示する。新しい情報が選択された場合は、コントローラは、選択された情報サービスが他の割当可能な又は選択可能なアドレス・ポート２４６により既に選択されているかどうかを調べる。選択されている場合は、その選択された情報が他の選択可能な又は割当アドレス・ポート例えば選択可能なアドレス・ポート６で既に受信されていることをユーザに通知する。
情報サービスが第１期間の間選択されている場合は、プログラマ２４４は選択された情報サービスを受信するために選択されたアドレス・ポート２４６をプログラム又は再プロフラムする。メニュー２４０は、選択可能なアドレス・ポートにおいて新たに選択された情報サービスをハイライトされた情報サービス２４２として示す。ステータス情報がメモリ２２２に格納され、そのメモリは例えば揮発性メモリ又は電気的に消去可能なメモリであり、選択可能なアドレス・ポートがプログラムされたこと、インタラクティブ・メニュー２４０で選択された情報サービスがハイライトで示されて２４２受信するように割り当てられたことを示す。コントローラ２１０は、選択されたアドレス・ポートで選択された情報サービスの受信を要求する場合において、選択可能なアドレスをエンコードする。その要求は送信機２０８を介して基地局１００に伝送される。基地局は応答，パスワード又はアクセス・コードを返送することができ、プログラマ２４４を介して選択呼出トランシーバをその応答，パスワード又はアクセスコードとともにコントローラ２１０を再プログラムし、ＯＴＡ(over the air)プログラムにより選択された情報サービスを受けることができる。ＯＴＡプログラムの技術自体は当業者に良く知られている。
コントローラは、選択呼出トランシーバ２００に送られた選択情報サービスに対してアドレス情報を復元し、それが割り当てられたアドレスポートで相関する場合はメッセージ・デコーダ２１２が情報サービスをデコードし、デコードされた情報サービスをメッセージおよびメニュー・メモリ２２６に格納される。このようにして選択呼出トランシーバ（受信機）２００のユーザは、どの情報サービスが受信されるかを調べ、情報が受信されるアドレス・ポートを選択する。場合によっては選択呼出受信機又はトランシーバ２００のユーザは、どの情報を受信するか、情報サービス１２０−１３２の選択をイネーブルしてインタラクティブ・メニューから所望の情報サービスを選択することによってその情報をいつ受信するかを制御することができる。ユーザは、選択が行われるアドレス・ポートに対して所望の情報サービスを選択又は再選択することによって、メニューから任意の情報サービスを受信することができる。したがって、ユーザは１以上の情報サービスを受信することができ、受信することのできる情報サービス数は選択可能なアドレス・ポート２４６の数に制限することができる。
選択情報サービスを受信し、デコードし、メッセージ・メモリ２２６に格納した後、選択呼出トランシーバ２００は、液晶ディスプレイのようなディスプレイ２２８により格納したメッセージの少なくとも一部をユーザに表示する。さらに、情報の受信、デコードおよび格納に付随して、出力報知器２３２を介してユーザに報知が行われる。その報知には、可聴報知，可視的報知，振動若しくは無音報知又はこれらの組み合わせが含まれる。
サポート回路２２３は好適には、既存の信号多重化集積回路，電圧レギュレータ，制御機構，電流の整流および制御機構，音響電力増幅回路，制御インターフェース回路，表示イルミネーション回路から構成される。これらの回路素子は、ユーザの要請に対して選択呼出受信機又はトランシーバ２００の機能を実行するために構成される。
さらに、コントローラ２１０は、メモリ２２２におけるイネーブル又はディセーブルされたステータス情報から、アドレス情報を検出する際にバッテリ・セービングを行うか否かを判定する。すなわち、受信および復元したアドレス情報が、不揮発性メモリ２２０における所定のアドレスと相関するとき、コントローラ２１０は相関する所定のアドレス情報に対応するステータス情報をチェックして、そのアドレスがイネーブルされているか否かを判定する。コントローラ２１０が、相関する所定のアドレスがイネーブルされていないと判定した場合、メッセージ・デコーダ２１２は必要とされない。さらに、コントローラ２１０は電力保存モジュール２１８に信号を送り、選択呼出トランシーバ２００の電力を保存する動作を開始する。電力保存モジュール２１８は、サポート回路２２４における回路に信号を送り、低電力モード（バッテリ・セーブ・モード）に入る。利用可能な電力保存回路は多数存在し、低電力または待受動作モードに入ることができる。さらに、電力保存モジュール２１８からの信号は、電力を保存するため受信回路２０４を低電力モードにする。このようにして相関するアドレスがイネーブルされない場合、付随するステータス情報により示されるように、選択呼出トランシーバ２００は直ちに電力を節約し、付随するメッセージをデコードせず、メッセージおよびメニュー・メモリ２２６にメッセージを格納しない。もっとも、電力保存モジュール２１８は受信機および他の回路を後で再びイネーブルにする場合もある。選択呼出トランシーバにおける電力の保存方式自体は当業者に周知である。さらにコントローラ２１０は出力報知器２３２を介するユーザに対する報知を禁止する。再び報知を行わないことによりバッテリ・セービング効果は最大となる。揮発性メモリ２２２に格納された各所定のアドレス情報に対応するステータス情報は、コントローラ２１０が選択呼出トランシーバ２００における機能をディセーブルすることを可能にし、相関するアドレスがディセーブルのとき、例えばそのアドレス・ポートで情報サービスが選択されていないときに電力を節約する。
図３は図１の選択呼出システムによる情報サービスのディレクトリを送信するステップを示すフローである。図示するとおり、通信システムは複数の情報サービスをステップ３０２で受信し、通信サービスに加入する携帯用通信装置（加入者ユニット）２００に送信される複数の情報サービス又はその一部を列挙(list)する情報のディレクトリを生成する（ステップ３０４）。基地局１００は不特定の(ubiquitous)アドレス、例えばメール・ドロップ・アドレスまたはグループ・アドレスをエンコードし、情報サービス１２０−１３２のディレクトリを受信するために複数の携帯用通信装置（選択呼出トランシーバ）２００をイネーブルする（ステップ３０６）。ディレクトリは、複数の通信装置２００に伝送される情報サービスを列挙する（ステップ３０８）。
通信システムは、情報サービスの要求が選択呼出トランシーバ２００から受信されたかどうかをチェックし（ステップ３１０）、受信されていなければ情報を受信するステップに戻る（３０２）。情報サービスの要求がステップ３１０で受信されていると、基地局１００はアドレスおよびその要求とともに含まれている他の情報サービスをデコードする（ステップ３１２）。デコードされたアドレスから、基地局１００は、携帯用通信装置が要求する情報サービスの受信を許可されているかどうかを調べる（ステップ３１４）。その通信装置が許可されていなければ（ステップ３１６）、例えば要求する情報が料金の支払いを要するサービスであるとき、基地局はその携帯用通信装置に対してユーザが選択した情報サービスに加入する方法（そのための情報）を送出する。あるいは、そのユーザが許可されていないことを単に基地局が知らせることも可能である。その通信装置が許可されいるとき、要求されたサービスに直接関係する情報がメモリ１１６から受信され、その情報および通信装置のアドレスとともにエンコードされる（ステップ３１８）。エンコードされた情報は通信装置または同じものを要求する加入者ユニットに伝送される（ステップ３２０）。
したがって、複数の情報ソースから情報サービスを受信する通信システム又は基地局は、これらのサービスを束ねて(bundle)それを加入者に提供することができる。加入者に選択の自由度を与えるため、通信システムは、グループ又はメール・ドロップ・アドレスで複数の携帯用通信装置に与えられるサービスのタイトルまたは種別を送信し、全ての携帯用通信装置がその情報サービスのディレクトリを受信することができる。システム時間をさらに改善するため、チャネルのスルー・プットが低いとき例えば夜にディレクトリを送信することも可能である。
図４は図２の選択呼出トランシーバで情報サービスを選択するメニューの作成および表示を行うステップを示すフローである。パワー・アップ・シーケンスに続いて、携帯用通信装置は、メッセージ又は情報サービスが受信されたかどうかをチェックし（ステップ４０２）、受信されていない場合は携帯用通信装置はバッテリ・セーブ・ルーチンを開始する（ステップ４３０）。携帯用通信装置又は加入者ユニットがそのアドレスを検出するとき、それはメール・ドロップ又はグループ・アドレス、例えば選択可能なアドレス・ポート０で情報サービスのディレクトリを受信する（ステップ４０４）。メッセージ又は情報サービスが受信されていると、選択呼出トランシーバは割り当てられた選択アドレス・ポートをデコードし、揮発性メモリに格納されているステータス情報を確認した後でその情報を格納する（ステップ４０６）。ステップ４０６において、コントローラ２１０は情報サービスのディレクトリからインタラクティブ・メニューを生成する。そのメニューは格納され、ユーザのインターフェースに応じて、メニューが複数の選択アドレス・ポートの１つから表示される。
携帯用通信装置又は選択呼出トランシーバ２００は、メニューが選択されたかどうかを判定する（ステップ４０８）。選択されていない場合は選択呼出トランシーバはそのバッテリ・セーブ・サイクルを継続し、メッセージ（又はページ）を待ち受ける。所定のアドレス・ポートからメニューを選択するユーザの入力に応答して（ステップ４０８）、選択呼出トランシーバはそのメニューが「コール・アップ(call-up)」されていたことから選択アドレス・ポートに付随する情報サービスのメニューを表示する（ステップ４１０）。選択呼出トランシーバは、表示されたメニューを介して情報サービスの選択を受信する（ステップ４１２）。入力インターフェースおよびアドレス相関器はその選択を受信し、そのサービスが既に選択されている場合は（ステップ４１４）、選択された情報がサービス型の選択アドレス・ポートで既に選択されていることをユーザに通知する。選択された情報サービスに対する要求は終了又は中止される。情報サービスがまだ選択されていなかった場合（ステップ４１４）、プログラムされた選択アドレス・ポートにいつ受信するかに関する情報を指示するためにステータス情報に従って、メモリ２２２において選択アドレス・ポートのアドレスをステータス情報としてプログラムまたは再プログラムする（ステップ４１８）。メニューは選択呼出トランシーバ２００に対して情報を与えることができ、選択された情報が料金の支払いを要するサービスであるか否かを判定し（ステップ４２０）、支払いを要する場合は選択呼出トランシーバがその選択したサービスの受信を許されているか否かを判定（承認）する（ステップ４２２）。料金の支払いを要しないサービスである場合（ステップ４２０）、または承認がなされた後（ステップ４２２）、選択呼出トランシーバはそのアドレスとともに通信システムに対して要求をエンコードおよび送信し、選択した情報サービスに加入する又は受信する（ステップ４２４）。送信を行った後は、選択呼出トランシーバは通信システムからサービス確認(confirmation)を待ち受ける（ステップ４２６）。通信システムが選択呼出トランシーバに対して承認を拒否した場合、選択呼出トランシーバはメニューを再表示又は表示を続行し、他のサービスの選択を可能にする（ステップ４１０）。サービスが確認されると（ステップ４２６）、選択呼出トランシーバはメッセージ又は選択したサービス情報を待ち受ける（ステップ４０４）。
このように、複数のソースから情報サービスを受信する通信システムは情報サービスのディレクトリを生成し、メール・ドロップ又はグループ・アドレス・ポートで複数の携帯用通信装置（加入者ユニット）にそのディレクトリを送信する。複数の携帯用通信装置は情報サービスのディレクトリを受信し、携帯用通信装置で複数のアドレス・ポートからコール・アップすることのできる情報サービスのインタラクティブ・メニューを生成する。インタラクティブ・メニューがあるアドレス・ポートでコール・アップされると、ユーザはそのメニューから情報サービスを選択又は変更することができる。他の情報サービスが既に選択されていた場合は、新たな選択が前の情報サービスの選択を変更し、そのアドレス・ポートにおける新たに選択された情報サービスに変更する。他のアドレス・ポートで同じサービスが選択されていないことを携帯用通信装置が確認した後で、選択された情報サービスは以後そのアドレス・ポートで受信される。その後、携帯用通信装置は選択した情報サービスの受信要求を送出し、通信システムによる確認を経てそのサービスが携帯用通信ユニットに送出される。
選択呼出通信システムは少なくとも１つの基地局と複数の加入者ユニットを有する。選択呼出通信システムは、情報サービスを受信する基地局受信機と、情報サービスを処理して情報サービスのディレクトリを生成する基地局プロセッサと、少なくとも１つの加入者ユニットにディレクトリを送信する基地局送信機から構成される。少なくとも１つの加入者ユニットは、複数の割当アドレス・ポートと、メール・ドロップ・アドレス・ポートで情報サービスのディレクトリを受信する受信機から構成される。コントローラは、情報サービスのディレクトリからメニューを生成し、ディスプレイは、複数の割当アドレス・ポートから情報サービスのメニューを表示し、ユーザ・インターフェースをイネーブルして複数の割当アドレス・ポートの割当アドレス・ポートで受信される情報サービスのメニューから情報サービスを選択する。ユーザ・インターフェースに結合するコントローラは、指定される割当アドレス・ポートに対して選択された情報サービスを割り当てる。送信機は、選択呼出通信システムに対する選択アドレス・ポートにより加入者ユニットを区別するアドレスを含む選択情報サービスの要求を送信する。プログラマは、その情報サービスを受信するアクセス・コードとともに加入者ユニットを再プログラムする。
【図１】
0003933693.tif 000002
【図２】
0003933693.tif 000003
【図３】
0003933693.tif 000004
【図４】
0003933693.tif 000005